(57)【特許請求の範囲】
【請求項１】
既設の電力量計に取り付けられ、該電力量計の所定期間の電力量計量値を記録した後に取り外され、記録した電力量計量値が読み取られる電力量測定装置において、
前記電力量計の端子部の電源側端子に押し当て可能な電圧取り込み端子が設けられた計測器本体部と、
前記電力量計の端子部から負荷側に引き出された電線を前後から囲むことができるように分割自在に構成され、前記計測器本体部と別体的に構成された分割型変流器部とを備えることを特徴とする電力量測定装置。
【請求項２】
前記計測器本体部は、
前記電圧取り込み端子を介して取り込まれた電圧値と、前記分割型変流器部を介して取り込まれた電流値とに基づいて電力量を算出する電力量演算部と、
前記電力量演算部にて算出された電力量を記録する記憶部とを備えることを特徴とする請求項１記載の電力量測定装置。
【請求項３】
測定開始時刻の分を、予め設定されている複数の分から選択する時刻設定手段と、選択された分に基づいて測定が開始されると、所定時間経過毎に前記電力量演算部にて演算された電力量計量値とその時の仮計量時刻とを前記記憶部に記録させる記憶手段とをさらに備えることを特徴とする請求項２記載の電力量測定装置。
【請求項４】
前記電力量計の端子部、前記計測器本体部および前記分割型変流器部を正面から覆うように構成されたカバー部をさらに備えることを特徴とする請求項１から３のいずれか１項記載の電力量測定装置。
【請求項５】
前記計測器本体部は、
前記電圧取り込み端子の軸方向に回転自在に接続され、前記電圧取り込み端子を引き上げるつまみと、
前記電圧取り込み端子を押し下げるように前記電圧取り込み端子に装着されたばねと、
前記ばねが圧縮された状態で前記電圧取り込み端子が引き上げられたまま固定できるように前記つまみに形成された突起部と、
前記計測器本体部側に形成され、前記電圧取り込み端子を引き上げながら前記つまみを回転させることで前記突起部を引っ掛ける段差とを備えることを特徴とする請求項１から４のいずれか１項記載の電力量測定装置。
【請求項６】
平板鉄心と、
電線を挟み込むU字状部を有し、前記電線を挟み込んだ状態で前記平板鉄心の表面に接触させることで閉磁路を構成するＵ字状鉄心と、
前記Ｕ字状鉄心が接触する前記平板鉄心の表面が露出するように前記平板鉄心の周囲を覆う第１の樹脂ケースと、
前記Ｕ字状鉄心を保持しながら前記第１の樹脂ケースを両端から挟み込むことで、前記平板鉄心上に接触させた状態で前記Ｕ字状鉄心を固定する第２の樹脂ケースとを備えることを特徴とする分割型変流器。
【請求項７】
前記分割型変流器部として、請求項６に記載の分割型変流器を用いることを特徴とする請求項１から５のいずれか１項記載の電力量測定装置。
【請求項８】
請求項３記載の電力量測定装置の電力量計量値の計量時刻変換方法であって、
前記記憶部から前記電力量計量値と仮計量時刻とを読み出し、
前記所定時間経過毎の前記電力量計量値の差値を算出し、
差値が最初に有効値となった電力量計量値の仮計量時刻を前記電力量計に前記電力量測定装置を取り付けた年月日時に置き換えることにより、前記記憶部に記録されている仮計量時刻を実際の計量時刻に時刻変換を行うことを特徴とする電力量測定装置の計量時刻変換方法。
【請求項９】
請求項３記載の電力量測定装置の計量精度の確認方法であって、
前記記憶部に記録されている最後の電力量計量値と、該電力量計量値の計量期間中に電力量計で計量された電力量計の使用量とを比較して前記電力量測定装置の誤差を算出することを特徴とする計量精度確認方法。
【発明の詳細な説明】
【技術分野】
【０００１】
本発明は電力量測定装置、この電力量測定装置に用いることのできる分割型変流器、電力量測定装置の計量時刻変換方法及び電力量測定装置の計量精度確認方法に関し、特に、顧客の電力使用量を電力量計の端子部から測定できるようにした電力量測定装置に適用して好適なものである。
【背景技術】
【０００２】
電力会社から顧客に対して電力を供給する場合、顧客の電力の使用量を計測して、使用量に見合った料金を徴収できるようにするために、各顧客に対して電力量計が設置されている。
そして、電力会社では、顧客から契約メニューに関して相談があった場合には、一週間程度に亘り消費電力の推移を測定し、この測定結果に基づいて昼間と夜間の消費電力の比率を算定し、これを基に年間の顧客の電力使用量から契約メニューに応じた電気料金を試算してコンサルタントが行われる。
【０００３】
ここで、顧客の消費電力の推移を測定するために、顧客の立会いの下で屋内の配電盤付近に測定器を取り付け、電圧と電流を電力量測定装置に取り込むことで消費電力の算定が行われている。
また、例えば、特許文献１には、電力量計との接続を、負荷側への電力供給を遮断することなく効率的に行えるようにするために、閉じた状態で環状となり、電力量計の負荷側電力線を変流器の１次側巻線として挟持する２次巻線を分離した状態で保持する開閉自在のカバー部とベース部とからなるロードサーベイメータが開示されている。
【特許文献１】特開２００２−８２１３２号公報
【発明の開示】
【発明が解決しようとする課題】
【０００４】
しかしながら、従来の消費電力の測定方法では、電力量測定装置を設置するためのスペースを屋内に確保する必要があるとともに、顧客の立会いの下で電力量測定装置を取り付ける必要があり、電力会社と顧客の双方の負担になるという問題があった。
また、従来の消費電力の測定方法では、電力量測定装置を屋内の遮断器に取り付けるために、電線を遮断器の端子から引き抜く必要があり、感電の危険性が大きいという問題があった。
【０００５】
また、特許文献１に開示された方法では、電力量計の負荷側電力線を挟持する変流器と、電力量計の電源側端子と接続する端子台とが一体的に構成されているので、既に取り付けられている電力量計の端子部の限られたスペース内で電力量測定装置を取り付けるのが困難であるとともに、特定の電力量計にしか取り付けることができないという問題があった。
【０００６】
さらに、電力量測定装置は、例えば３０分毎に電力量と時刻を１週間程度記録することから、電力量測定装置の時刻設定が必要となる。しかし、電力量測定装置に時刻設定、電力量計量値のための液晶パネル等を配置することは、スペースが必要となることから、小型化・コンパクト化の障壁となるという問題があった。
そこで、本発明の目的は、電力量計の端子部のスペースが限られている場合においても、設置スペースを別途確保することなく、電線を電力量計に設置でき、また端子から引き抜くことなく取り付けることが可能な電力量測定装置を提供することである。
【課題を解決するための手段】
【０００７】
上述した課題を解決するために、請求項１記載の電力量測定装置によれば、既設の電力量計に取り付けられ、該電力量計の所定期間の電力量計量値を記録した後に取り外され、記録した電力量計量値が読み取られる電力量測定装置において、前記電力量計の端子部の電源側端子に押し当て可能な電圧取り込み端子が設けられた計測器本体部と、前記電力量計の端子部から負荷側に引き出された電線を前後から囲むことができるように分割自在に構成され、前記計測器本体部と別体的に構成された分割型変流器部とを備えることを特徴とする。
【０００８】
これにより、電力量計の端子カバーの代わりに計測器本体部を取り付けることが可能となるとともに、計測器本体部の配置位置に制約されることなく、分割型変流器部を設置することができる。このため、電力量計の端子部のスペースが限られている場合においても、設置スペースを別途確保することなく、電力量測定装置を容易に取り付けることが可能となるとともに、電力量測定装置を取り付けるために、電線を電力量計の端子から引き抜く必要がなくなり、感電の危険性を軽減しつつ、無停電で電力量測定装置を取り付けることができる。
【０００９】
また、請求項２記載の電力量測定装置によれば、前記計測器本体部は、前記電圧取り込み端子を介して取り込まれた電圧値と、前記分割型変流器部を介して取り込まれた電流値とに基づいて電力量を算出する電力量演算部と、前記電力量演算部にて算出された電力量を記録する記憶部とを備えることを特徴とする。
これにより、設置スペースを別途確保することなく、電力量測定装置内で消費電力の推移を測定し、その測定結果を保持することができ、年間の顧客の電力使用量を見積もることができる。
【００１０】
また、請求項３記載の電力量測定装置によれば、測定開始時刻の分を、予め設定されている複数の分から選択する時刻設定手段と、選択された分に基づいて測定が開始されると、所定時間経過毎に前記電力量演算部にて演算された電力量計量値とその時の仮計量時刻とを前記記憶部に記録させる記憶手段とをさらに備えることを特徴とする。
これにより、時刻設定手段は測定開始時刻の中で、分のみを選択する構成であるため、時刻設定のためのスペースを小さくすることができ、小型化・コンパクト化を図ることができる。時刻設定手段により現在時刻の分に最も近い分を選ぶことにより、測定開始までの待ち時間を短くすることができる。
また、請求項４記載の電力量測定装置によれば、前記電力量計の端子部、前記計測器本体部および前記分割型変流器部を正面から覆うように構成されたカバー部をさらに備えることを特徴とする。
これにより、電力量計の端子カバーの代わりに計測器本体部を取り付けた場合においても、電力量計の端子部、計測器本体部および分割型変流器部を保護することができる。
【００１１】
また、請求項５記載の電力量測定装置によれば、前記計測器本体部は、前記電圧取り込み端子の軸方向に回転自在に接続され、前記電圧取り込み端子を引き上げるつまみと、前記電圧取り込み端子を押し下げるように前記電圧取り込み端子に装着されたばねと、前記ばねが圧縮された状態で前記電圧取り込み端子が引き上げられたまま固定できるように前記つまみに形成された突起部と、前記計測器本体部側に形成され、前記電圧取り込み端子を引き上げながら前記つまみを回転させることで前記突起部を引っ掛ける段差とを備えることを特徴とする。
これにより、電力量計の端子部に接触する危険性を低減しつつ、ばねの復元力にて電力量計の端子部の電源側端子に電圧取り込み端子を押し付けながら接触させたり、電力量計の端子部の電源側端子から電圧取り込み端子を引き離したりすることが可能となり、感電の危険性を軽減しつつ、電力量測定装置を取り付けることができる。
【００１２】
また、請求項６記載の分割型変流器によれば、平板鉄心と、電線を挟み込むU字状部を有し、前記電線を挟み込んだ状態で前記平板鉄心の表面に接触させることで閉磁路を構成するＵ字状鉄心と、前記Ｕ字状鉄心が接触する前記平板鉄心の表面が露出するように前記平板鉄心の周囲を覆う第１の樹脂ケースと、前記Ｕ字状鉄心を保持しながら前記第１の樹脂ケースを両端から挟み込むことで、前記平板鉄心上に接触させた状態で前記Ｕ字状鉄心を固定する第２の樹脂ケースとを備えることを特徴とする。
【００１３】
これにより、分割型変流器のコンパクト化を図りつつ、分割型変流器を容易に設置することが可能になり、隣接する電線の間隔が短く、設置スペースが限られている場合においても、分割型変流器を取り付けることができる。
従来の分割型変流器は、電線を左右から挟む構成であるため、隣接する電線間に広いスペースが無いと取り付けが難しかった。しかし、本発明による分割型変流器は、Ｕ字状鉄心のＵ字状部を電線に対して前方から挟み込むように挿入する構成であるため、隣接する電線の間隔が狭い所謂狭隘電線であったとしても、左右にＵ字状部を差し込むスペースがあれば取り付けることができる。
【００１４】
また、請求項７記載の電力量測定装置によれば、前記分割型変流器部として、請求項６に記載の分割型変流器を用いることを特徴とする。
これにより、分割型変流器部のコンパクト化を図りつつ、分割型変流器部を容易に設置することが可能になり、電力量計の端子部のスペースが限られている場合においても、分割型変流器部を取り付けることができる。
【００１６】
また、請求項８記載の計量時刻変換方法によれば、請求項３記載の電力量測定装置の前記記憶部から前記電力量計量値と仮計量時刻とを読み出し、前記所定時間経過毎の前記電力量計量値の差値を算出し、差値が最初に有効値となった電力量計量値の仮計量時刻を前記電力量計に前記電力量測定装置を取り付けた年月日時に置き換えることにより、前記記憶部に記録されている仮計量時刻を実際の計量時刻に時刻変換を行うことを特徴とする。
これにより、電力量測定装置の記憶データを加工することで、表示装置による時刻設定や電力量計量値の表示なしで、実際の計量時刻に時刻変換することができ、電力量測定装置のコンパクト化が実現できる。
【００１７】
また、請求項９記載の計量精度の確認方法は、請求項３記載の電力量測定装置の前記記憶部に記憶されている最後の電力量計量値と、該電力量計量値の計量期間中に電力量計で計量された電力量計の使用量とを比較して前記電力量測定装置の誤差を算出することを特徴とする。
これにより、簡単な方法で取り付けられる電力量測定装置の計量精度の確認を行うことが可能になる。
【発明の効果】
【００１８】
以上説明したように、本発明によれば、電力量計の端子部のスペースが限られている場合においても、設置スペースを別途確保することなく、電力量測定装置を容易に取り付けることが可能となるとともに、電力量測定装置を取り付けるために、電線を電力量計の端子から引き抜く必要がなくなり、感電の危険性を軽減しつつ、無停電で電力量測定装置を取り付けることができる。
また、電力量測定装置の記憶データを加工することで、表示装置による時刻設定や電力量計量値の表示なしで、実際の時刻に時刻変換し、計量精度の確認が行えることにより、コンパクト化が実現できるとともに、測定の信頼性を高めることができる。
【発明を実施するための最良の形態】
【００１９】
以下、本発明の実施形態に係る電力量測定装置について図面を参照しながら説明する。
図１は、本発明の一実施形態に係る電力量計に装着された電力量測定装置の概略構成を示す図である。
図１において、電力量計１１には、送電線に繋がる電力引き込み用電線１３や顧客の負荷側電力線１４に接続する端子部１２が設けられ、端子部１２には、送電線に繋がる電力引き込み用電線１３を電力量計１１に接続する電源側端子および顧客の負荷側電力線１４を電力量計１１に接続する負荷側端子が設けられている。なお、日本などで採用されている単相３線式では、電力引き込み用電線１３側の±１００Ｖ線に対応して３本分の電源側端子を端子部１２に設けるとともに、負荷側電力線１４側の±１００Ｖ線およびグランド線に対応して３本分の負荷側端子を端子部１２に設けることができる。
【００２０】
そして、電源部１５から引き出された電力引き込み用電線１３は、端子部１２を介して電力量計１１に引き込まれるとともに、電力量計１１から端子部１２を介して引き出された負荷側電力線１４は負荷１６に接続されている。
また、顧客の電力使用量を測定する電力量測定装置には、電圧取り込み端子部２２ａ〜２４ａが設けられた計測器本体部２１と、分割変流器３１、３２、３３が設けられた分割型変流器部が備えられている。ここで、電圧取り込み端子部２２ａ〜２４ａは電力量計１１の端子部１２の電源側端子に押し当て可能なように構成され、電力量計１１の端子部１２の電源側端子にそれぞれ対応して３本の電圧取り込み端子部２２ａ〜２４ａが設けられている。
【００２１】
また、分割変流器３１、３２、３３は、負荷側電力線１４を両側から囲むことができるように分割自在に構成され、分割変流器３１、３２、３３を組み立てることで負荷側電力線１４の±１００Ｖ線を流れる電流を測定できるように２個の閉磁路を構成することができる。
そして、電力量測定装置にて顧客の電力使用量を測定する場合、計測器本体部２１を端子部１２に取り付け、電力量計１１の端子部１２の電源側端子に電圧取り込み端子部２２ａ〜２４ａを押し当てる。また、±１００Ｖの負荷側電力線１４がそれぞれ両側から囲まれるように分割変流器３１、３２、３３を組み立て、分割変流器３２、３３を計測器本体部２１に接続する。
【００２２】
そして、電力引き込み用電線１３を介して顧客に送電された電力は、電力量計１１にて電力使用量が監視されながら、負荷側電力線１４を介して負荷１６に供給される。
そして、電力引き込み用電線１３間の電圧Ｖ１、Ｖ３が電圧取り込み端子２２ａ〜２４ａを介して計測器本体部２１に取り込まれるとともに、±１００Ｖの負荷側電力線１４に流れる電流Ｉ１、Ｉ３が分割変流器３１、３２、３３にて計測され、計測器本体部２１に送られる。
【００２３】
そして、計測器本体部２１は、電圧取り込み端子２２ａ〜２４ａにて取り込まれた電圧Ｖ１、Ｖ３および分割変流器３１、３２、３３にて計測された電流Ｉ１、Ｉ３に基づいて、以下の（１）式にて顧客の電力使用量Ｐを算出することができる。
Ｐ＝Ｖ１×Ｉ１＋Ｖ３×Ｉ３                                              （１）
そして、計測器本体部２１は、一週間程度に亘り顧客の電力使用量Ｐの推移を算出し、その算出結果を内部に記憶することができる。
【００２４】
これにより、電力量計１１の端子カバーの代わりに計測器本体部２１を取り付けることが可能となるとともに、計測器本体部２１の配置位置に制約されることなく、分割型変流器３１、３２、３３を設置することができる。このため、電力量計１１の端子部１２のスペースが限られている場合においても、設置スペースを別途確保することなく、電力量測定装置を容易に取り付けることが可能となるとともに、電力量測定装置を取り付けるために、負荷側電力線１４を電力量計１１の端子から引き抜く必要がなくなり、感電の危険性を軽減しつつ、無停電で電力量測定装置を取り付けることができる。
【００２５】
図２（ａ）は本発明の一実施形態に係る電力量測定装置におけるカバー部１０１の概略構成を示す斜視図、図２（ｂ）は本発明の一実施形態に係る電力量測定装置における計測器本体部と分割型変流器部の概略構成を示す斜視図である。
図２において、計測器本体部２１には、電力量計１１の端子部１２の電源側端子に押し当て可能な電圧取り込み端子２２ａ〜２４ａが設けられている。そして、電圧取り込み端子２２ａ〜２４ａには、電圧取り込み端子２２ａ〜２４ａをそれぞれ引き上げるつまみ２２ｂ〜２４ｂが、電圧取り込み端子２２ａ〜２４ａの軸方向に回転自在にそれぞれ接続されている。
【００２６】
また、計測器本体部２１には、（１）式に従って顧客の電力使用量Ｐを算出する電力量演算部６１にて算出された電力使用量Ｐの推移を記憶する記憶部６２が実装された回路基板２５が搭載されるとともに、記憶部６２に記憶されたデータを外部に送出する通信端子６３が搭載されている。また、計測器本体部２１には、計測器本体部２１を電力量計１１に固定するねじ２６が設けられている。
【００２７】
また、分割変流器３１、３２、３３は互いに分割できるように構成され、分割変流器３２、３３を分割変流器３１と結合させることで、２個の閉磁路を構成することができる。  また、分割変流器３２、３３は、分割変流器３１、３２、３３にて計測された電流値を計測器本体部２１に送出するために、ケーブル３４、３５で計測器本体部２１に接続されている。さらに、分割変流器３２、３３には、分割変流器３２、３３を分割変流器３１に挟み込むことで分割変流器３２、３３を分割変流器３１上に固定する挟み込み部３６、３７がそれぞれ設けられている。
【００２８】
そして、電力量測定装置を電力量計１１に装着する場合、計測器本体部２１を端子部１２に取り付け、ねじ２６にて計測器本体部２１を端子部１２に固定する。そして、つまみ２２ｂ〜２４ｂを操作することで、電力量計１１の端子部１２の電源側端子に電圧取り込み端子部２２ａ〜２４ａを押し当て、電力量計１１の端子部１２の電源側端子に電圧取り込み端子部２２ａ〜２４ａを接触させることができる。
【００２９】
図３（ａ）は図２（ｂ）の計測器本体部のつまみ部分を拡大して示す斜視図、図３（ｂ）は図２（ｂ）の計測器本体部における電圧取り込み端子部の引き上げ時における概略構成を示す断面図、図３（ｂ）は図２（ｂ）の計測器本体部における電圧取り込み端子部の押し下げ時における概略構成を示す断面図である。
図３において、電圧取り込み端子２２ａ〜２４ａの軸方向には、つまみ２２ｂ〜２４ｂがそれぞれ回転自在に接続されている。なお、電圧取り込み端子２２ａ〜２４ａとしては、例えば、黄銅などの金属からなる金属棒を用いることができる。そして、電圧取り込み端子２２ａ〜２４ａには、電圧取り込み端子２２ａ〜２４ａを軸方向に押し下げるようにばね２７がそれぞれ装着されている。
【００３０】
また、つまみ２２ｂ〜２４ｂの円周面には、ばね２７を圧縮させながら電圧取り込み端子２２ａ〜２４ａを軸方向に引き上げた状態で固定する突起部２９がそれぞれ形成され、計測器本体部２１側には、電圧取り込み端子２２ａ〜２４ａを引き上げながらつまみ２２ｂ〜２４ｂをそれぞれ回転させることで、突起部２９を引っ掛ける段差２８が形成されている。
【００３１】
そして、電力量計１１の端子部１２の電源側端子から電圧取り込み端子２２ａ〜２４ａを引き離す場合、つまみ２２ｂ〜２４ｂを人手で操作することで、ばね２７を圧縮させながらつまみ２２ｂ〜２４ｂを手前に引き上げる。そして、つまみ２２ｂ〜２４ｂを手前に引き上げながら、つまみ２２ｂ〜２４ｂを回転させて、突起部２９を段差２８に引っ掛けることで、電圧取り込み端子２２ａ〜２４ａを引き上げた状態で固定することができる。
【００３２】
一方、電力量計１１の端子部１２の電源側端子に電圧取り込み端子２２ａ〜２４ａを接触させる場合、つまみ２２ｂ〜２４ｂを手前に引き上げながら、つまみ２２ｂ〜２４ｂを回転させ、突起部２９を段差２８からずらしてから、手をつまみ２２ｂ〜２４ｂから放す。そして、この状態でつまみ２２ｂ〜２４ｂから手を放すと、ばね２７の復元力にてばね２７が伸長し、電圧取り込み端子２２ａ〜２４ａがそれぞれ押し込まれることで、電力量計１１の端子部１２の電源側端子に電圧取り込み端子２２ａ〜２４ａを接触させることができる。
【００３３】
これにより、電力量計１１の端子部１２に接触する危険性を低減しつつ、ばね２７の復元力にて電力量計１１の端子部１２の電源側端子に電圧取り込み端子２２ａ〜２４ａを押し付けながら接触させたり、電力量計１１の端子部１２の電源側端子から電圧取り込み端子２２ａ〜２４ａを引き離したりすることが可能となり、感電の危険性を軽減しつつ、電力量測定装置を取り付けることができる。
【００３４】
図４（ａ）は図２（ｂ）の分割型変流器部を異なる視点から見た時の概略構成を示す斜視図、図４（ｂ）は図２（ｂ）の分割型変流器部の概略構成を示す断面図である。
図４において、分割変流器３１には平板鉄心４１が設けられるとともに、分割変流器３２、３３には、Ｕ字状鉄心４２、４３がそれぞれ設けられ、Ｕ字状鉄心４２、４３を平板鉄心４１の表面に接触させることで、負荷側電力線１４を囲む２個の閉磁路を構成することができる。なお、負荷側電力線１４同士の隙間や、負荷側電力線１４と電力引き込み用電線１３との隙間が短い場合でも、Ｕ字状鉄心４２、４３は容易に挿入可能な大きさに構成される。
【００３５】
ここで、平板鉄心４１は、平板鉄心４１の表面が露出するように樹脂ケースにて周囲を覆われている。また、Ｕ字状鉄心４２、４３は、平板鉄心４１の樹脂ケースを両端から挟み込むことで、平板鉄心４１上に接触させる樹脂ケースにそれぞれ保持されている。
そして、Ｕ字状鉄心４２、４３の樹脂ケースには、平板鉄心４１の樹脂ケースの一端に引っ掛ける引っ掛け部５５、５６がそれぞれ形成されるとともに、挟み込み部３６、３７にそれぞれ一体的に形成された引っ掛け部５３、５４が引っ掛け部５５、５６に対向するようにそれぞれ配置されている。
【００３６】
そして、挟み込み部３６、３７にそれぞれ一体的に形成された引っ掛け部５３、５４は、支点部５１、５２を介して揺動自在にＵ字状鉄心４２、４３の樹脂ケースにそれぞれ固定されている。ここで、支点部５１、５２には、引っ掛け部５５、５６を閉じる方向に付勢するばねがそれぞれ設けられ、挟み込み部３６、３７をそれぞれ操作することで、支点部５１、５２を支点として引っ掛け部５３、５４と挟み込み部３６、３７とをそれぞれシーソー動作させることができる。
【００３７】
図５（ａ）は図２（ｂ）の分割型変流器部を分解した時の概略構成を示す斜視図、図５（ｂ）は図２（ｂ）の分割型変流器部の組み立て時の概略構成を示す断面図、図５（ｂ）は図２（ｂ）の分割型変流器部の組み立て後の概略構成を示す断面図である。
図５において、分割変流器３１、３２、３３を組み立てる場合、分割変流器３２、３３の引っ掛け部５５、５６を分割変流器３１の一端にそれぞれ引っ掛ける。そして、分割変流器３２、３３の引っ掛け部５５、５６を分割変流器３１の一端にそれぞれ引っ掛けた状態で、分割変流器３１の他端を引っ掛け部５３、５４の内側に押し込むことで、引っ掛け部５３、５４を分割変流器３１の他端にそれぞれ引っ掛ける。
一方、分割変流器３１、３２、３３を分解する場合、挟み込み部３６、３７を押すことで、引っ掛け部５３、５４を開き、分割変流器３２、３３を分割変流器３１から取り外すことができる。
【００３８】
図６（ａ）は図２（ｂ）の分割型変流器部を電力量計の端子部に装着する時の方法を示す斜視図、図６（ｂ）は図２（ｂ）の分割型変流器部を電力量計の端子部に装着する時の方法を示す断面図である。
図６において、分割変流器３１、３２、３３を負荷側電力線１４の装着する場合、電力量計１１を固定している壁と負荷側電力線１４との隙間に分割変流器３１を挿入し、負荷側電力線１４を分割変流器３２、３３にて囲むように分割変流器３２、３３を分割変流器３１上に配置し、挟み込み部３６、３７を操作しながら分割変流器３２、３３を分割変流器３１に挟み込むことで分割変流器３２、３３を分割変流器３１に固定する。
【００３９】
これにより、分割変流器３１、３２、３３のコンパクト化を図りつつ、分割変流器３１、３２、３３を容易に分割したり組み立てたりすることが可能となり、電力量計１１の端子部１２のスペースが限られている場合においても、分割変流器３１、３２、３３を負荷側電力線１４に取り付けることができる。
そして、電力量計１１の端子部１２の電源側端子に電圧取り込み端子部２２ａ〜２４ａが接触されるとともに、分割変流器３１、３２、３３が負荷側電力線１４に取り付けられると、図１の電力引き込み用電線１３間の電圧Ｖ１、Ｖ３が電圧取り込み端子２２ａ〜２４ａを介して計測器本体部２１に取り込まれるとともに、±１００Ｖの負荷側電力線１４に流れる電流Ｉ１、Ｉ３が分割変流器３１、３２、３３にて計測され、ケーブル３４、３５を介して計測器本体部２１に送られる。
【００４０】
そして、電力量演算部６１は、電圧取り込み端子２２ａ〜２４ａにて取り込まれた電圧Ｖ１、Ｖ３および分割変流器３１、３２、３３にて計測された電流Ｉ１、Ｉ３に基づいて、顧客の電力使用量Ｐを算出し、記憶部６２に記憶させることができる。そして、記憶部６２に記憶されたデータは、通信端子６３を介して外部のパーソナルコンピュータに送出され、顧客の電力使用量から契約メニューに応じた電気料金を試算することができる。
【００４１】
次に、電力量測定装置の時刻設定について説明する。
図７は、本発明による電力量測定装置に設けられる時刻設定器６４の構成と設定手順の説明図である。
時刻設定器６４は、測定開始時刻の分を設定するためのものであり、計測器本体部２１に取付けられている。時刻設定器６４は、「００分又は３０分」、「１０分又は４０分」、「２０分又は５０分」の３つの時刻パターンを選択できるように構成されており、選択時に点滅するＬＥＤ６５〜６７が設けられている。動作ＬＥＤ７０が点滅している時に分送り釦６８を押すことにより、３つの時刻が順次選択されてＬＥＤ６５〜６７が順次点滅し、測定開始釦６９を押すことにより、その時にＬＥＤが点滅している時刻が設定されるように構成されている。
【００４２】
時刻の設定の手順は次のとおりである。
１）計測器本体部２１の電圧取り込み端子部２２ａ〜２４ａが電力量計１１の端子部１２の電源端子に押し当てられて電源が供給されると、ＬＥＤ６５が点滅する。
２）この時の時刻が０７分であった場合、分送り釦６８を１回押して、「１０分又は４０分」を選択する。これにより、ＬＥＤ６６が点滅する。
３）そのままの状態で待ち、時刻が１０分になったときに測定開始釦６９を押すことにより、時刻１０分が設定される。
４）電源が供給されてＬＥＤ６５が点滅した時の時刻が例えば４８分の場合には、分送り釦６８を２回押して「２０分又は５０分」を選択し、ＬＥＤ６７を点滅させる。そして、２分後の５０分に測定開始釦６９を押すことにより、時刻２０分が設定される。
【００４３】
「００分又は３０分」、「１０分又は４０分」、「２０分又は５０分」の３つの時刻を選択するようにしたのは、測定開始釦６９を押すまで待つ時間を最大１０分とするためであり、選択される時刻を増やせば最大待ち時間を短くすることができる。
なお、３つの時刻選択が可能であるが、測定開始釦６９を押したときには、００分、１０分、２０分の何れかが設定され、３０分、４０分、５０分の設定は行われないため、３０分の時間差が発生する場合がある。この時間差の発生をなくすためには、例えば１０分毎に６つの時刻を選択できるようにする、或いは２０分ごとに３つの時刻を選択できるようにすれば良いが、前者の場合にはＬＥＤの設置個数が増えるため、時刻設定器６４のスペースが大きくなり、後者の場合には測定開始までの待ち時間が最大２０分となる。
このように、時刻設定器６４は「分」のみを設定でき、「年月日時」の設定ができないので、この時刻設定器６４で設定された「分」に基づいて、電力量測定装置を取外して回収した後に、「年月日時分」の時刻の変換を行う必要がある。
【００４４】
次に、この時刻の変換を図８、図９を用いて説明する。図８は、本発明による電力量測定装置に記録される電力量計量値（使用量）の構成を説明するための図、図９は、図８に示すように記録された時刻と電力量計量値から「年月日時分」からなる計量時刻と電力量計量値の差値とを算出する方法を説明するための図である。
図８に示すように、電力量計量値は、縦軸に３時間毎の「年月日時」、横軸に３時間を３０分毎に細分した時刻のレコードデータを１単位として記録されていく構成であり、このレコードデータは記憶部６２に記録される。
【００４５】
そして、次のように電力量計量値の記録が行なわれる。
１）まず、電力量測定装置には、取り付け前には、初期値として所定の「年月日時分」、例えば２００６年１２月３１日２１時００分から３時間経過した時刻の欄に電力量計量値として前回使用時の電力量計量値「００１２３５６」が記録されている。そして、取り付けが行なわれると、取り付け前の電力量計量値が記録されている時刻から３０分経過した時刻である２００７年１月１日０時３０分の欄に同じ電力量計量値が記憶される。
【００４６】
２）次に、実際の時刻である２００７年５月８日１０時２０分に測定開始釦６９が押されると、その時の電力量計量値「００１２３７８」が２００７年１月１日１時００分の欄に記録されるとともに、残りの欄には時刻設定を表すＲコードが記録される。この２００７年１月１日１時００分が仮計量時刻となる。この時、作業者は、測定開始釦６９を押した時刻とその時の電力量計の計量値をメモとして記録しておく。また、次の３時間毎欄の先頭には電力量計量値「０００００００」が記録されると共に、残りの欄には測定開始分を示すＤコードが記録される。
【００４７】
３）そして、２００７年５月８日１０時３０分になると、１０時２０分から１０時３０分までの電力量計量値「０００００１０」が、次の３時間毎欄の先頭である２００７年１月１日００時３０分の欄に記録される。この２００７年１月１日１時００分が仮計量時刻となる。これ以降は、３０分毎に電力量計量値が記録されていく。
【００４８】
４）そして、電力量計量値の記録を例えば１週間行い、２００７年５月１５日１０時４０分に電力量測定装置を取外したとすると、２００７年１月８日００時３０分迄の電力量計量値「００１１６００」は記録されているので、それ以降の２００７年１月８日１１時００分及び２００７年１月８日１１時３０分の欄に電力量計量値「００１１６００」を記録して動作を終了する。この時、作業者は、電力量測定装置を取外した時の電力量計の計量値をメモとして記録しておく。
５）この電力量測定装置を営業所に持ち帰り、時刻変換のために営業所で電力を供給すると、２００６年１２月３１日２４時００分、２００７年１月１日００時３０分の欄が再度設けられ、電力量計量値「００１１６００」記録される。
【００４９】
このようにして、電力量計量値が２００７年１月１日００時００分から２００７年１月８日０時３０分迄の電力量計量値として記録されるが、実際の時刻である２００７年５月８日１０時３０分から２００７年５月１５日１０時３０分の電力量計量値に時刻変換を行う手順を図９に基づいて説明する。図９では、左側に図８で説明した計量時刻と電力量計量値が記載されている。
１）まず、電力量測定装置を営業所に持ち帰って電力を供給すると前述のとおり、２００６年１２月３１日２４時００分、２００７年１月１日００時３０分の欄が再度設けられ、電力量計量値「００１１６００」記録される。
２）そして、コンピュータにより、記憶部６２に記録されている記録データを読み出し、コンピュータは以下の処理を行う。
【００５０】
３）まず、３０分毎の電力量計量値の差値を上から順次算出する。この差値は、図９の中央に記載されたように算出される。
４）次に、この差値を上側からサーチしていき、差値が「０」は無効データとし、更に差値が「Ｄ」となるまでサーチを続け、差値が「Ｄ」となるまでの差値を有効データとする。
５）次に、作業員からメモに記録されている電力量測定装置の測定開始釦６９を押した時刻２００７年５月８日１０時２０分が入力されると、２００７年１月１日００時３０〜１時００分の差値「４０」を２００７年５月８日１０時３０分〜１１時００分の差値として時刻変換を行っていく。
【００５１】
このようにして、時刻変換が行われて電力量計量値に基づいて、夜間率等を算出し、契約メニューに応じた電気料金を試算してコンサルタントを行う。
６）また、作業員が、予めメモに記録した電力量測定装置により測定を開始した時の電力量計の計量値と、電力量測定装置を取り外して測定を終了したときの電力量計の計量値とを入力すると、コンピュータは、測定期間中の電力量計の使用量を求め、電力量測定装置に記録された電力量計量値の最終計量値と比較して、電力量測定装置の誤差を算出し、作業員に知らせる。これにより、作業員は電力量測定装置の電力量計量値の精度を確認することができる。
【図面の簡単な説明】
【００５２】
【図１】本発明の一実施形態に係る電力量計に装着された電力量測定装置の概略構成を示す図である。
【図２】図２（ａ）は本発明の一実施形態に係る電力量測定装置におけるカバー部の概略構成を示す斜視図、図２（ｂ）は本発明の一実施形態に係る電力量測定装置における計測器本体部と分割型変流器部の概略構成を示す斜視図である。
【図３】図３（ａ）は図２（ｂ）の計測器本体部のつまみ部分を拡大して示す斜視図、図３（ｂ）は図２（ｂ）の計測器本体部における電圧取り込み端子部の引き上げ時における概略構成を示す断面図、図３（ｂ）は図２（ｂ）の計測器本体部における電圧取り込み端子部の押し下げ時における概略構成を示す断面図である。
【図４】図４（ａ）は図２（ｂ）の分割型変流器部を異なる視点から見た時の概略構成を示す斜視図、図４（ｂ）は図２（ｂ）の分割型変流器部の概略構成を示す断面図である。
【図５】図５（ａ）は図２（ｂ）の分割型変流器部を分解した時の概略構成を示す斜視図、図５（ｂ）は図２（ｂ）の分割型変流器部の組み立て時の概略構成を示す断面図、図５（ｂ）は図２（ｂ）の分割型変流器部の組み立て後の概略構成を示す断面図である。
【図６】図６（ａ）は図２（ｂ）の分割型変流器部を電力量計の端子部に装着する時の方法を示す斜視図、図６（ｂ）は図２（ｂ）の分割型変流器部を電力量計の端子部に装着する時の方法を示す断面図である。
【図７】本発明に係る電力量測定装置に設けられる時刻設定器の一実施形態の構成と設定手順の説明図である。
【図８】本発明に係る電力量測定装置に記録される電力量計量値の説明図である。
【図９】本発明に係る電力量測定装置に記録された電力量計量値の時刻変換の説明図である。
【符号の説明】
【００５３】
１１  電力量計
１２  端子部
１３  電力引き込み用電線
１４  負荷側電力線
１５  電源部
１６  負荷
２１  計測器本体部
２２ａ〜２４ａ  電圧取り込み端子部
２２ｂ〜２４ｂ  つまみ
２５  回路基板
２６  ねじ
２７  ばね
２８  段差
２９  突起部
３１、３２、３３  分割変流器
３４、３５  ケーブル
３６、３７  挟み込み部
４１  平板鉄心
４２、４３  Ｕ字状鉄心
５１、５２  支点部
５３、５４、５５、５６  引っ掛け部
６１  電力量演算部
６２  記憶部
６３  通信端子
６４  時刻設定器
６５、６６、６７  ＬＥＤ
６８  分送り釦
６９  測定開始釦
７０  動作ＬＥＤ
１０１  カバー部
【図１】
0005226249.tif 000002
【図２】
0005226249.tif 000003
【図３】
0005226249.tif 000004
【図４】
0005226249.tif 000005
【図５】
0005226249.tif 000006
【図６】
0005226249.tif 000007
【図７】
0005226249.tif 000008
【図８】
0005226249.tif 000009
【図９】
0005226249.tif 000010